(57)【要約】【課題】簡単な操作によって、ユーザーが意図した位置に画像を表示することができる表示装置、携帯端末、プログラム及び表示システムを提供する。【解決手段】プロジェクター１１は、画像を表示する投射部５と、携帯端末２１から送信される表示用の画像データ３７と、撮影画像データ３８または撮影画像データ３８に基づき生成されたデータとを受信する無線通信部７５と、無線通信部７５により受信した撮影画像データ３８または撮影画像データ３８に基づき生成されたデータに基づいて、画像の表示位置を決定する投射位置決定部６３と、投射部５によって、投射位置決定部６３により決定された位置に表示用の画像データ３７に基づく画像を表示させる投射制御部６４と、を備えている。【選択図】図２
2014022961.tif 000002
【特許請求の範囲】
【請求項１】
画像を表示する表示手段と、
外部の装置から送信される表示用の画像データと、撮影画像データまたは前記撮影画像データに基づき生成されたデータとを受信する受信手段と、
前記受信手段により受信した前記撮影画像データまたは前記撮影画像データに基づき生成されたデータに基づいて、画像の表示位置を決定する表示位置決定手段と、
前記表示手段によって、前記表示位置決定手段により決定された位置に前記表示用の画像データに基づく画像を表示させる表示制御手段と、
を備えたことを特徴とする表示装置。
【請求項２】
請求項１記載の表示装置であって、
前記表示位置決定手段は、前記受信手段によって受信した前記撮影画像データに基づいて、前記表示手段の表示可能領域において前記撮影画像データに写っている範囲を特定し、この範囲内で前記画像の表示位置を決定することを特徴とする表示装置。
【請求項３】
請求項１または２記載の表示装置であって、
前記表示用の画像データと、前記撮影画像データまたは前記撮影画像データに基づき生成されたデータとを送信した前記外部の装置を特定する識別情報と、前記外部の装置が送信した前記画像データと、前記外部の装置が送信した前記撮影画像データまたは前記撮影画像データに基づき生成されたデータに基づいて前記表示位置決定手段が決定した前記画像の表示位置と、を対応づけて記憶する識別情報記憶手段を備え、
前記表示制御手段は、前記識別情報記憶手段に記憶された前記表示用の画像データに基づく画像を、その前記表示用の画像データに対応づけて前記識別情報記憶手段に記憶された表示位置に表示させること、
を特徴とする表示装置。
【請求項４】
請求項１から３のいずれかに記載の表示装置であって、
前記表示制御手段は、異なる前記外部の装置から送信された複数の前記画像データに基づく複数の画像の表示位置が重複する場合に、これら複数の画像を重ねて表示させることを特徴とする表示装置。
【請求項５】
請求項１から４のいずれかに記載の表示装置であって、
前記表示制御手段は、表示中の前記画像の表示サイズの変更を指示するデータが前記外部の装置から送信された場合に、このデータに従って表示中の前記画像の表示サイズを変更することを特徴とする表示装置。
【請求項６】
画像を表示する表示手段と、
画像データを記憶する記憶手段と、
撮影手段と、
前記記憶手段に記憶した少なくとも一つの画像データと、前記撮影手段により撮影された撮影画像データまたは前記撮影画像データに基づき生成されたデータを外部の装置に送信する送信手段と、
前記送信手段により送信した前記画像データに基づく画像を前記表示手段により表示させる表示制御手段と、
を備えたことを特徴とする携帯端末。
【請求項７】
請求項６記載の携帯端末であって、
前記表示手段が画像を表示する表示画面に対する操作を検出する操作検出手段と、
前記送信手段によって送信した前記画像データに基づく画像が前記表示手段に表示された状態で、前記操作検出手段により操作が検出された場合に、検出された操作に基づいて画像の表示サイズの変更を指示するデータを生成して前記外部の装置に送信するサイズ変更制御手段と、
を備えることを特徴とする携帯端末。
【請求項８】
画像を表示する表示手段と、画像データを記憶する記憶手段と、撮影手段と、を備えたコンピューターにより実行可能なプログラムであって、
前記コンピューターを、
前記記憶手段に記憶した少なくとも一つの画像データと、前記撮影手段により撮影された撮影画像データまたは前記撮影画像データに基づき生成されたデータを外部の装置に送信する送信手段と、
前記送信手段により送信した前記画像データに基づく画像を前記表示手段により表示させる表示制御手段と、
して機能させることを特徴とするプログラム。
【請求項９】
画像を表示する表示装置と携帯端末とを有する表示システムであって、
前記携帯端末は、
画像データを記憶する記憶手段と、
撮影手段と、
前記記憶手段に記憶した表示用の画像データと、前記撮影手段により撮影された撮影画像データまたは前記撮影画像データに基づき生成されたデータを前記表示装置に送信する送信手段と、を備え、
前記表示装置は、
表示手段と、
前記携帯端末から送信される前記表示用の画像データと、前記撮影画像データまたは前記撮影画像データに基づき生成されたデータとを受信する受信手段と、
前記受信手段により受信した前記撮影画像データまたは前記撮影画像データに基づき生成されたデータに基づいて、前記表示用の画像データに基づく画像の表示位置を決定する表示位置決定手段と、
前記表示手段によって、前記表示位置決定手段により決定された位置に前記表示用の画像データに基づく画像を表示させる表示制御手段と、を備えたこと、
を特徴とする表示システム。
【発明の詳細な説明】
【技術分野】
【０００１】
本発明は、表示装置、表示装置に画像を供給する携帯端末、表示装置を制御するプログラム、及び、表示装置と携帯端末とを備えた表示システムに関する。
【背景技術】
【０００２】
従来、表示領域を複数の画面に分割して異なる複数の画像を表示する分割表示ができる表示装置が知られている（例えば、特許文献１参照）。特許文献１の表示装置は、複数の画像供給装置に接続され、各画像供給装置から入力される画像を各画面に表示する。また、分割表示と、表示領域全体に１つの画像を表示する全画面表示とが切り替え可能に構成されている。
【先行技術文献】
【特許文献】
【０００３】
【特許文献１】特開２００６−３３０４６８号公報
【発明の概要】
【発明が解決しようとする課題】
【０００４】
しかしながら、上記従来の表示装置においては、分割表示と全画面表示との切り替えを行う場合、分割された各画面のリサイズを行う場合、または、画像の表示画面を変更する場合等の画像の表示状態を変更する操作が複雑であり、手間がかかるという問題があった。
本発明は、上述した従来の技術が有する課題を解消し、簡単な操作によって、ユーザーが意図した位置に画像を表示することができる表示装置、携帯端末、プログラム及び表示システムを提供することを目的とする。
【課題を解決するための手段】
【０００５】
上記目的を達成するために、本発明は、表示装置であって、画像を表示する表示手段と、外部の装置から送信される表示用の画像データと、撮影画像データまたは前記撮影画像データに基づき生成されたデータとを受信する受信手段と、前記受信手段により受信した前記撮影画像データまたは前記撮影画像データに基づき生成されたデータに基づいて、画像の表示位置を決定する表示位置決定手段と、前記表示手段によって、前記表示位置決定手段により決定された位置に前記表示用の画像データに基づく画像を表示させる表示制御手段と、を備えたことを特徴とする。
本発明によれば、外部の装置から送信される撮影画像データまたは撮影画像データに基づき生成されたデータに基づいて、外部の装置から送信される画像を表示する位置を決定する。すなわち、表示する画像と画像の表示位置とを外部の装置により制御することができる。このため、例えばユーザーが外部の装置を操作し、表示装置により表示する画像と、この画像の表示位置とを指定して、意図した位置に所望の画像を表示させることができる。
【０００６】
また、本発明は、上記の表示装置であって、前記表示位置決定手段は、前記受信手段によって受信した前記撮影画像データに基づいて、前記表示手段の表示可能領域において前記撮影画像データに写っている範囲を特定し、この範囲内で前記画像の表示位置を決定することを特徴とする。
本発明によれば、撮影画像データに写っている範囲内で画像の表示位置を決定するため、外部の装置を操作するユーザーが所望の表示位置に合わせた範囲を撮影すれば、表示装置により、ユーザーの意図に従って画像の表示位置が決定される。このため、画像を表示する位置を手動で入力する必要がなく、簡単な操作によって意図した位置に画像を表示させることができる。
【０００７】
また、本発明は、上記の表示装置であって、前記表示用の画像データと、前記撮影画像データまたは前記撮影画像データに基づき生成されたデータとを送信した前記外部の装置を特定する識別情報と、前記外部の装置が送信した前記画像データと、前記外部の装置が送信した前記撮影画像データまたは前記撮影画像データに基づき生成されたデータに基づいて前記表示位置決定手段が決定した前記画像の表示位置と、を対応づけて記憶する識別情報記憶手段を備え、前記表示制御手段は、前記識別情報記憶手段に記憶された前記表示用の画像データに基づく画像を、その前記表示用の画像データに対応づけて前記識別情報記憶手段に記憶された表示位置に表示させること、を特徴とする。
本発明によれば、複数の外部の装置から受信した表示用の画像データを、各々の装置の操作により指示された位置に表示することができる。
【０００８】
また、本発明は、上記の表示装置であって、前記表示制御手段は、異なる前記外部の装置から送信された複数の前記画像データに基づく複数の画像の表示位置が重複する場合に、これら複数の画像を重ねて表示させることを特徴とする。
本発明によれば、複数の画像を重ねて表示できるので、外部の装置の操作により指示された表示位置が他の外部の装置の操作によって指示された表示位置と重なっても、指示された位置に画像を表示できる。このため、画像の表示位置が、他の外部の装置で指示された画像の表示位置によって制限されることがないので、各々の外部の装置により指定された位置に画像を表示することができる。
【０００９】
また、本発明は、上記の表示装置であって、前記表示制御手段は、表示中の前記画像の表示サイズの変更を指示するデータが前記外部の装置から送信された場合に、このデータに従って表示中の前記画像の表示サイズを変更することを特徴とする。
本発明によれば、表示中の画像の表示サイズを外部の装置の操作により簡単に変更することができる。
【００１０】
また、上記目的を達成するために、本発明は、携帯端末であって、画像を表示する表示手段と、画像データを記憶する記憶手段と、撮影手段と、前記記憶手段に記憶した少なくとも一つの画像データと、前記撮影手段により撮影された撮影画像データまたは前記撮影画像データに基づき生成されたデータを外部の装置に送信する送信手段と、前記送信手段により送信した前記画像データに基づく画像を前記表示手段により前記撮影画像データまたは前記撮影画像データに基づき生成されたデータに基づいて決定される表示位置に表示させる表示制御手段と、を備えたことを特徴とする。
本発明によれば、画像データに基づく画像を、撮影手段により撮影された撮影画像データまたは撮影画像データに基づき生成されたデータにより決定された位置に表示させるため、簡単な操作により、意図した位置に画像データに基づく画像を表示させることができる。
【００１１】
また、本発明は、上記の携帯端末であって、前記表示手段が画像を表示する表示画面に対する操作を検出する操作検出手段と、前記送信手段によって送信した前記画像データに基づく画像が前記表示手段に表示された状態で、前記操作検出手段により操作が検出された場合に、検出された操作に基づいて画像の表示サイズの変更を指示するデータを生成して前記外部の装置に送信するサイズ変更制御手段と、を備えることを特徴とする。
本発明によれば、簡単な操作で画像の表示サイズを変更することができる。
【００１２】
また、上記目的を達成するために、本発明は、画像を表示する表示手段と、画像データを記憶する記憶手段と、撮影手段と、を備えたコンピューターにより実行可能なプログラムであって、前記コンピューターを、前記記憶手段に記憶した少なくとも一つの画像データと、前記撮影手段により撮影された撮影画像データまたは前記撮影画像データに基づき生成されたデータを外部の装置に送信する送信手段と、前記送信手段により送信した前記画像データに基づく画像を前記表示手段により前記撮影画像データまたは前記撮影画像データに基づき生成されたデータに基づいて決定される表示位置に表示させる表示制御手段と、して機能させることを特徴とする。
本発明によれば、画像データに基づく画像を、撮影手段により撮影された撮影画像データまたは撮影画像データに基づき生成されたデータにより決定された位置に表示させるため、簡単な操作で意図した位置に画像データに基づく画像を表示させることができる。
【００１３】
また、上記目的を達成するために、本発明は、画像を表示する表示装置と携帯端末とを有する表示システムであって、前記携帯端末は、画像データを記憶する記憶手段と、撮影手段と、前記記憶手段に記憶した表示用の画像データと、前記撮影手段により撮影された撮影画像データまたは前記撮影画像データに基づき生成されたデータを前記表示装置に送信する送信手段と、を備え、前記表示装置は、表示手段と、前記携帯端末から送信される前記表示用の画像データと、前記撮影画像データまたは前記撮影画像データに基づき生成されたデータとを受信する受信手段と、前記受信手段により受信した前記撮影画像データまたは前記撮影画像データに基づき生成されたデータに基づいて、前記表示用の画像データに基づく画像の表示位置を決定する表示位置決定手段と、前記表示手段によって、前記表示位置決定手段により決定された位置に前記表示用の画像データに基づく画像を表示させる表示制御手段と、を備えたこと、を特徴とする。
本発明によれば、携帯端末から送信される、画像データと、撮影手段により撮影された撮影画像データまたは撮影画像データに基づき生成されたデータと、に基づいて簡単な操作で画像を意図した位置に表示させることができる。
【発明の効果】
【００１４】
本発明によれば、簡単な操作で意図した位置に画像を表示することができる。
【図面の簡単な説明】
【００１５】
【図１】本発明を適用した実施形態に係る表示システムの概略構成を示す図である。
【図２】表示システムの機能的構成を示すブロック図である。
【図３】識別情報記憶部の構成を模式的に示す図である。
【図４】表示位置を決定する方法の説明図である。
【図５】表示システムの動作を示すシーケンス図である。
【図６】表示態様の例を示す図である。
【図７】表示態様の例を示す図である。
【発明を実施するための形態】
【００１６】
以下、図面を参照して本発明の実施形態について説明する。
図１は、本発明を適用した表示装置としてのプロジェクター（外部の装置）１１と、携帯端末（外部の装置）２１とを備えて構成される表示システム１０の概略構成を示す図である。
図１に示すように、プロジェクター１１は、スクリーンＳＣに対して画像を投射する。また、携帯端末２１は、筐体の前面にタッチパネル２２を有している。タッチパネル２２は、携帯端末２１の表示画面としての機能と、表示画面への接触操作を検出する入力部としての機能とを備えている。また、携帯端末２１は、タッチパネル２２に並べて配置されるスイッチ２４等の操作子を備えている。
プロジェクター１１が画像を投射するスクリーンＳＣは、略直立しており、スクリーン面は、例えば矩形形状である。プロジェクター１１は、動画像（映像）をスクリーンＳＣに投射することも、静止画像をスクリーンＳＣに投射することも可能である。
【００１７】
プロジェクター１１と携帯端末２１は、無線通信方式によって各種データを送受信可能に接続されている。この無線通信方式は、例えば無線ＬＡＮ、Ｂｌｕｅｔｏｏｔｈ（登録商標）、ＵＷＢ、赤外線通信等の近距離無線通信方式や、携帯電話回線を利用した無線通信方式を採用することができる。プロジェクター１１は、複数の携帯端末２１と通信可能に接続できる構成である。また、プロジェクター１１は、複数の携帯端末２１とともに、例えばＰＣ等の他の装置とも通信可能に接続される形態であってもよい。
携帯端末２１は、ユーザーが手に持って操作する小型の装置であり、例えば、ＰＤＡ、スマートフォン、携帯電話機等の装置である。携帯端末２１は、スイッチ２４等の操作子に対する操作のほか、タッチパネル２２の表面にユーザーが手指で接触し、この接触位置をタッチパネル２２に検出させることで、操作できる。携帯端末２１は、これらの操作に応じて、例えば記憶している画像データを表示する等の動作を実行する。
【００１８】
また、携帯端末２１は、ユーザーの操作に応じて画像データ３７をプロジェクター１１に送信（出力）する機能を有する。プロジェクター１１は、携帯端末２１が送信した画像データ３７を受信して、この画像データ３７に基づく画像１３７をスクリーンＳＣに投射する。携帯端末２１は、個体を特定する端末識別情報７６及び画像データ３７をプロジェクター１１に送信する。図示は省略するが、携帯端末２１の端末識別情報７６は、プロジェクター１１との間で携帯端末２１を識別するためのデータであり、具体的には、個々の携帯端末２１を識別するために各携帯端末２１に固有のシリアル番号や、プロジェクター１１との間で共有する認証コード等である。
また、携帯端末２１は、画像データ３７とともに、その画像データ３７をプロジェクター１１が表示する際の、明るさ、カラーモード、カラープロファイル等の設定値を指定する表示設定データを送信することができる。表示設定データは、例えば、携帯端末２１が送信する画像データ３７の属性に対応づけられ、上記画像データ３７の表示に適した設定状態を実現するためのデータである。
プロジェクター１１は、携帯端末２１が送信する表示設定データに従って表示用の設定値を調整し、この設定状態で、携帯端末２１が送信した画像データ３７に基づく画像１３７を表示する。これにより、ユーザーが、プロジェクター１１の表示に係る設定値を調整する作業を行わなくても、画像データ３７に適した設定状態で、高品質の画像１３７をスクリーンＳＣに表示できる。また、プロジェクター１１は、投射領域Ａ内で携帯端末２１から送信された画像データ３７に基づく画像１３７を投射する位置を特定するための、位置特定パターンＰを投射する。位置特定パターンＰは、例えば近赤外線によりスクリーンＳＣに表示され、ユーザーからは視認できない構成であっても良い。
【００１９】
以下、実施形態の表示システム１０の構成を詳細に説明する。
図２は、プロジェクター１１及び携帯端末２１の機能的構成を示すブロック図である。
図２に示すように、携帯端末２１は、携帯端末２１の各部を制御する制御部３０を備える。制御部３０は、図示しないＣＰＵ、ＲＡＭ、ＲＯＭ等を備え、ＲＯＭに記憶した基本制御プログラムをＣＰＵにより実行して、携帯端末２１を制御する。また、制御部３０には、記憶手段としての記憶部３５が接続されており、記憶部３５には、アプリケーションプログラム３６を含む各種プログラムや、画像データ３７、及び、各画像データ３７に対応付けて記憶される撮影画像データ３８等の各種データが不揮発的に記憶されている。
制御部３０は、記憶部３５に記憶されたアプリケーションプログラム３６を実行することにより、後述する投射制御部（サイズ変更制御手段）３１、表示制御部３２、撮影制御部３３、及び、通信制御部３４として機能する。
【００２０】
記憶部３５は、アプリケーションプログラム３６のほか、画像データ３７、及び、撮影画像データ３８を記憶している。画像データ３７は、後述する表示制御部３２の制御によりタッチパネル２２に表示可能な画像データであり、動画像データであっても静止画像データであってもよい。画像データ３７のデータフォーマットは、ＭＰＥＧ、ＡＶＩ、ＭｏｔｉｏｎＪＰＥＧ、ＪＰＥＧ、ＢＭＰ、ＧＩＦ、ＰＤＦ等各種のデータフォーマットを利用できる。また、画像データ３７は、後述する通信制御部３４の制御によって、無線通信部３９を介してプロジェクター１１に送信可能な形態で記憶部３５に記憶されている。画像データ３７には、画像データ３７をプロジェクター１１が表示する際の設定状態を指定する各種情報が含まれている。また、画像データ３７をプロジェクター１１が表示する際の設定状態を指定する各種情報は、画像データ３７の属性に対応づけてプロジェクター１１に送信される構成であっても良い。
撮影画像データ３８は、画像データ３７をプロジェクター１１が表示する際の表示位置を指定する情報である。詳細については後述するが、撮影画像データ３８は、制御部３０の制御の下、撮影部（撮影手段）４０により撮影されて、記憶部３５に記憶される。撮影画像データ３８には、スクリーンＳＣ投射された画像データ３７の表示位置に係る情報が含まれる。
【００２１】
また、携帯端末２１は、上述したように、入力部としてタッチパネル２２と、スイッチ２４を含む操作子と、を備えている。表面全体における接触操作を検出するタッチパネル２２は、検出した操作位置を示す信号を入力検出部４１に出力する。検出手段としての入力検出部４１は、タッチパネル２２から入力された信号に基づいて操作位置の座標を示す制御データを生成し、制御部３０に出力する。また、入力検出部４１には、スイッチ２４を含む操作子が操作された場合に操作信号が出力される。入力検出部４１は、スイッチ２４により入力された操作信号に対応する制御データを生成して入力検出部４１に出力する。制御部３０は、入力検出部４１から入力される制御データに基づいて、タッチパネル２２に対する接触操作、スイッチ２４を含む操作子の操作を検出できる。
また、携帯端末２１は、上述したように、撮影部４０を備えている。図示は省略するが、携帯端末２１の筐体の背面には、カメラレンズが設けられており、撮影部４０は、カメラレンズを通して撮像素子に入った光に基づく電子信号を出力する。制御部３０は、撮影制御部３３の機能により、撮影部４０を制御して、画像を撮影する。また、制御部３０は、撮影制御部３３の機能により、撮影部４０からの出力をリアルタイムで取得するとともに、表示制御部３２によりタッチパネル２２を制御して、撮影部４０からの出力をリアルタイムにタッチパネル２２に表示することができる。また、制御部３０は、携帯端末２１の筐体、例えば筐体側面、に設けられたシャッターボタン（図示略）を切る操作や、タッチパネル２２に表示されるシャッターボタンを押下する操作、あるいは、タッチパネル２２へのタッチ操作により、撮影部４０からの出力を、記憶部３５に画像データ３７として記憶する。
【００２２】
制御部３０は、表示制御部３２の機能により、タッチパネル２２を駆動して各種画面を表示する。表示制御部３２は、制御部３０の制御の下、記憶部３５に記憶された画像データ３７に基づいて、図示しない描画メモリーに、タッチパネル２２の表示解像度に合わせたフレームを描画し、描画したフレームに基づきタッチパネル２２を駆動する。タッチパネル２２は、透過型、反射型あるいは半透過型の液晶表示パネル、ＯＬＥＤ（Ｏｒｇａｎｉｃ  Ｌｉｇｈｔ−ｅｍｉｔｔｉｎｇ−ｄｉｏｄｅ）、ＯＥＬ（Ｏｒｇａｎｉｃ  Ｅｌｅｃｔｒｏ−Ｌｕｍｉｎｅｓｃｅｎｃｅ）等と呼ばれる有機ＥＬ表示パネル等からなるフラットパネルディスプレイを備えている。なお、透過型及び半透過型液晶パネルを用いる場合にはバックライトが付属される。
【００２３】
また、制御部３０には、プロジェクター１１との間で上述した無線通信方式に準じて各種データを送受信する通信手段としての無線通信部３９が接続されている。無線通信部３９は、図示しないアンテナやＲＦ回路等を備え、制御部３０の通信制御部３４によって制御され、画像データ３７及び撮影画像データ３８をプロジェクター１１に送信する。
【００２４】
投射制御部３１は、入力検出部４１が検出した操作に従って、記憶部３５に記憶された画像データ３７をプロジェクター１１に送信する。また、投射制御部３１は、送信する画像データ３７の属性に、撮影部４０から入力される撮影画像データ３８を対応付けて、画像データ３７と共に撮影画像データ３８または撮影画像データ３８に基づいて生成したデータをプロジェクター１１に送信する。また、投射制御部３１は、入力検出部４１により検出した操作に従って、画像データ３７の表示サイズの変更、つまり表示サイズを拡大または縮小を指示するデータを生成してプロジェクター１１に送信するサイズ変更制御手段として機能する。
【００２５】
通信制御部（出力手段）３４は、無線通信部３９を制御してプロジェクター１１にデータを無線送信する機能を有する。通信制御部３４は、入力検出部４１が検出した操作により指定された画像データ３７を、記憶部３５から取得して送信する処理を実行する。この処理において、通信制御部３４は、撮影制御部３３が撮影部４０より取得した撮影画像データ３８、または、投射制御部３１が撮影画像データ３８に基づいて生成したデータを、画像データ３７とともに送信する。また、通信制御部３４は、画像データ３７とともに、携帯端末２１を識別するための識別情報をプロジェクター１１に送信する。なおこのとき、タッチパネル２２には、表示制御部３２の機能により、入力検出部４１が検出した操作により指定された画像データ３７が記憶部３５から取得されて表示される。
【００２６】
プロジェクター１１は、大きく分けて光学的な画像の形成を行う投射部５（表示手段）と、この投射部５に入力される画像信号を電気的に処理する画像処理系とからなる。投射部５は、照明光学系５１、液晶パネル等を備えた光変調装置５２、及び投射光学系５３から構成されている。照明光学系５１は、キセノンランプ、超高圧水銀ランプ、ＬＥＤ、レーザー等からなる光源を備えている。また、照明光学系５１は、光源が発した光を光変調装置５２に導くリフレクター及び補助リフレクターを備えていてもよく、投射光の光学特性を高めるためのレンズ群（図示略）、偏光板、或いは光源が発した光の光量を光変調装置５２に至る経路上で低減させる調光素子等を備えたものであってもよい。
光変調装置５２は、例えば透過型液晶パネルを備えて構成され、この液晶パネルに後述する画像処理系からの信号を受けて画像を形成する。この場合、光変調装置５２は、カラーの投影を行うため、ＲＧＢの三原色に対応した３枚の液晶パネルを備え、照明光学系５１からの光はＲＧＢの３色の色光に分離され、各色光は対応する各液晶パネルに入射する。各液晶パネルを通過して変調された色光はクロスダイクロイックプリズム等の合成光学系によって合成され、投射光学系５３に射出される。
【００２７】
なお、光変調装置５２は、３枚の透過型液晶パネルを用いた構成に限らず、例えば３枚の反射型の液晶パネルを用いることも可能であるし、１枚の液晶パネルとカラーホイールを組み合わせた方式、３枚のデジタルミラーデバイス（ＤＭＤ）を用いた方式、１枚のデジタルミラーデバイスとカラーホイールを組み合わせた方式等により構成してもよい。ここで、光変調装置５２として１枚のみの液晶パネルまたはＤＭＤを用いる場合には、クロスダイクロイックプリズム等の合成光学系に相当する部材は不要である。また、液晶パネル及びＤＭＤ以外にも、光源が発した光を変調可能な構成であれば問題なく採用できる。
投射光学系５３は、光変調装置５２で変調された入射光を、投射レンズを用いてスクリーンＳＣ上に投射し、結像させる。
投射部５には、制御部６０の制御に従って投射光学系５３が備える各モーターを駆動する投射光学系駆動部６５、及び、制御部６０の制御に従って照明光学系５１が備える光源を駆動する光源駆動部６９、が接続されている。
【００２８】
画像処理系は、プロジェクター１１全体を統合的に制御する制御部６０を中心に構成され、記憶部７０、入力検出部７３、無線通信部（受信手段）７５、画像処理部６６、及び、光変調装置駆動部６７を備えている。記憶部７０は、制御部６０が処理するデータや制御部６０が実行する制御プログラムを記憶する。入力検出部７３は、不図示の操作パネルやリモコンを介した操作を検出する。無線通信部７５は、無線通信方式で携帯端末２１との間でデータを送受信し、受信したデータを制御部６０に出力する。画像処理部６６は、無線通信部７５を介して携帯端末２１から入力される画像データ３７を処理する。光変調装置駆動部６７は、画像処理部６６から出力される画像信号に基づいて光変調装置５２を駆動して描画を行う。
【００２９】
制御部６０は、記憶部７０に記憶された制御プログラムを読み出して実行することにより、プロジェクター１１の各部を制御する。制御部６０は、入力検出部７３から入力される操作信号、または、無線通信部７５を介して携帯端末２１から入力される操作信号に基づいて、ユーザーが行った操作の内容を検出し、この操作に応じて画像処理部６６、光変調装置駆動部６７、投射光学系駆動部６５及び光源駆動部６９を制御して、投射部５によりスクリーンＳＣに画像１３７を投射させる。
【００３０】
画像処理部６６は、携帯端末２１等の外部の画像供給装置から入力された画像データ３７を、光変調装置５２の液晶パネルの仕様に適合した解像度のデータに変換する解像度変換処理等を実行し、光変調装置５２により表示する表示用画像をフレームメモリー６８に展開し、展開した表示用画像を光変調装置駆動部６７に出力する。光変調装置駆動部６７は、画像処理部６６から入力される表示用画像に基づいて、光変調装置５２を駆動する。これにより、制御部６０の制御によって、光変調装置５２に画像が描画され、この画像が投射光学系５３を介して、スクリーンＳＣ上に投射画像として投射される。
制御部６０は、通信制御部６１として機能し、無線通信部７５を制御して、携帯端末２１から送信される画像データ３７を含む各種データを受信（取得）する。制御部６０は、通信制御部６１の機能により受信した画像データ３７を含む各種データを記憶部７０に記憶する。
【００３１】
また、制御部６０は、端末接続制御部６２として機能し、携帯端末２１からプロジェクター１１に画像データ３７が送信された際に、携帯端末２１の端末識別情報７６を取得して、当該端末識別情報７６を画像データ３７の属性に対応付けて、識別情報記憶部７２に記憶し、プロジェクター１１と、携帯端末２１との接続を確立する。
識別情報記憶部７２には、図３に示すように、携帯端末２１からプロジェクター１１に送信された端末識別情報７６、及び、画像データ３７と、画像データ３７の表示位置を指示する表示位置情報７７とが関連付けて記憶されている。表示位置情報７７には、後述する投射位置決定部６３の機能により決定された表示位置に係る情報が記憶される。
また、制御部６０は、投射位置決定部６３として機能し、無線通信部７５を制御して、携帯端末２１から送信される撮影画像データ３８または撮影画像データ３８に基づき生成されたデータとに基づいて画像データ３７に基づく画像１３７を投射してスクリーンＳＣに表示する位置を決定する。つまり、投射位置決定部６３は、画像１３７の表示位置を決定する表示位置決定手段として機能する。投射位置決定部６３は、詳細については後述するが、撮影画像データ３８に撮影されている位置特定パターンＰの位置に基づいて画像データ３７に基づく画像１３７の表示位置を決定する構成であっても良いし、或いは、携帯端末２１が撮影画像データ３８に撮影されている位置特定パターンＰの位置に基づいて画像データ３７の表示位置を指示するべく生成したデータに基づいて画像１３７の表示位置を決定する構成であっても良い。
【００３２】
また、制御部６０は、投射制御部（表示制御手段）６４として機能し、画像処理部６６を制御して、無線通信部７５により受信した画像データ３７に基づいてフレームメモリー６８に画像を展開させるとともに、光変調装置駆動部６７を制御して、フレームメモリー６８に展開された画像を光変調装置５２の液晶パネルに描画させ、投射部５により投射させる。また、投射制御部６４は、記憶部７０の位置合わせ用画像データ記憶部７１から位置特定パターンＰを読み出して、画像処理部６６を制御し、位置特定パターンＰに基づいてフレームメモリー６８に画像を展開させるとともに、光変調装置駆動部６７を制御して、フレームメモリー６８に展開された画像を光変調装置５２の液晶パネルに描画させ、投射部５により位置特定パターンＰ（図１参照）を投射させる。また、投射制御部６４は、通信制御部６１が受信したデータに含まれる、画像データ３７の表示サイズを指示するデータに基づいて画像データ３７に基づく画像１３７のサイズを変更する。
【００３３】
図４は、投射位置決定部６３が画像データ３７に基づく画像１３７を表示する位置を決定する方法の説明図である。
図４（Ａ）は、プロジェクター１１によりスクリーンＳＣに投射された位置特定パターンＰ、および携帯端末２１で撮影された撮影画像データ３８の一例を示す。図４（Ａ）に示すように、ユーザーは、画像データ３７に基づく画像１３７を表示したい位置に携帯端末２１を向けて、撮影部４０により撮影画像データ３８を撮影する。
また、図４（Ｂ）は、図４（Ａ）の状態で撮影された撮影画像データ３８の例を示す。この撮影画像データ３８には、図４（Ｂ）に例示するように、位置特定パターンＰが写っている。上述したように、制御部３０は、投射制御部３１の機能により、撮影画像データ３８を画像データ３７の属性に対応付けて無線通信部３９を介してプロジェクター１１に送信する構成であっても良い。また、制御部３０は、投射制御部３１の機能により、撮影画像データ３８に基づいて、位置特定パターンＰと、撮影画像データ３８の画像中心Ｃと、の位置関係から画像データ３７の表示位置を指示するデータを生成して、この撮影画像データ３８に基づき生成されたデータを画像データ３７の属性に対応付けて無線通信部３９を介してプロジェクター１１に送信する構成であっても良い。
【００３４】
画像データ３７や、撮影画像データ３８または撮影画像データ３８に基づき生成されたデータが携帯端末２１から送信されると、プロジェクター１１は、無線通信部７５を介して、これらのデータを受信する。制御部６０は、投射位置決定部６３の機能により、撮影画像データ３８または撮影画像データ３８に基づき生成されたデータに基づいて、画像データ３７の表示位置を決定する。図４（Ｃ）は、投射位置決定部６３が撮影画像データ３８に基づいて決定した画像の表示位置の例を示す。
投射位置決定部６３は、撮影画像データ３８、または、撮影画像データ３８をもとに生成されたデータを解析して、投射部５の表示可能領域において、撮影画像データ３８に写っている範囲を特定する。そして、この特定した範囲内における画像データ３７の画像中心Ｃの位置を、撮影画像データ３８に写っている位置特定パターンＰの位置をもとに検出して、画像データ３７の表示位置を決定する。つまり、投射位置決定部６３は、図４（Ｃ）に示されるように、投射部５の表示可能領域内における画像中心Ｃの位置を決定することで、画像データ３７の表示位置を決定する。投射位置決定部６３が決定する画像中心Ｃの位置は、例えば、投射部５の表示可能領域に仮想的に設定される座標系における座標として表される。
【００３５】
プロジェクター１１は、上述したように、複数の携帯端末２１と接続可能に構成されている。そして、プロジェクター１１は、複数の携帯端末２１の各々から送信される画像データ３７に基づく画像１３７をスクリーンＳＣに投射可能である。つまりスクリーンＳＣには、複数の携帯端末２１から送信される複数の画像データ３７に基づく画像１３７を同時に表示することができる。そして、これらの複数の画像１３７が重複する位置に表示位置が決定された場合には、これらの複数の画像１３７を重ねて表示させることができる。また、１つの携帯端末２１の記憶部３５に記憶されている複数の画像データ３７に基づく画像１３７を同時にスクリーンＳＣに表示させるとともに、各々の画像データ３７に基づく画像１３７の表示位置や、表示サイズは画像１３７ごとに変更可能である。このように、１つの携帯端末２１から複数の画像データ３７に基づく画像１３７をスクリーンＳＣに表示させる場合には、詳細については後述するが、１つの画像データ３７に基づく画像１３７の投射状態を確定する操作を行った後に、別の画像データ３７に基づく画像１３７の表示を開始することができる。
【００３６】
次に、図５のシーケンス図を用いて表示システム１０の動作について説明する。
図５は、携帯端末２１から送信される画像データ３７に基づく画像１３７をプロジェクター１１で投射してスクリーンＳＣに表示する際の携帯端末２１とプロジェクター１１との動作を示す図である。
携帯端末２１に記憶されている画像データ３７を、プロジェクター１１から投射してスクリーンＳＣに表示する際、ユーザーは、まず、携帯端末２１を操作して、記憶部３５に記憶されている画像投射を行うためのアプリケーションプログラム３６を起動する。携帯端末２１により画像投射を行うためのアプリケーションプログラム３６が起動されると、携帯端末２１とプロジェクター１１とは互いの接続を確立すべく通信する。携帯端末２１とプロジェクター１１との接続は、例えば、このアプリケーションプログラム３６の起動時にユーザーが接続するプロジェクター１１を特定して接続する構成であっても良いし、或いは、無線信号の送受信が可能なプロジェクター１１を自動で検出して接続する構成であっても良い。このように、ユーザーの携帯端末２１での操作に基づいて、まず、携帯端末２１とプロジェクター１１との接続が確立される（ステップＳ１）。この時、携帯端末２１の制御部３０は、通信制御部３４の機能により、無線通信部３９を制御して、携帯端末２１の個体を特定する識別情報をプロジェクター１１に送信する。
【００３７】
次に、ユーザーは、スクリーンＳＣに投射する画像データ３７を記憶部３５から選択する（ステップＳ２）。続いて、制御部３０は、表示制御部３２の機能により、ユーザーにより選択された画像データ３７をタッチパネル２２に表示する（ステップＳ３）。また、制御部３０は、通信制御部３４の機能により、無線通信部３９を制御して、ユーザーにより選択された画像データ３７をプロジェクター１１に送信する（ステップＳ４）。
続いて、制御部３０は、撮影制御部３３の機能により、撮影部４０を制御して、携帯端末２１によるスクリーンＳＣの撮影を実行する（ステップＳ５）。この時、携帯端末２１は、撮影部４０のカメラレンズがスクリーンＳＣの方向に向くようにユーザーによって保持される。制御部３０は、撮影制御部３３の機能により、撮影部４０のカメラレンズを通して撮像素子で得られた撮影画像データ３８Ａを取得し、投射制御部３１の機能により、撮影部４０から入力される撮像画像データまたは撮像画像データに基づいて生成したデータを画像データ３７に関連付けてプロジェクター１１に送信する（ステップＳ６）。つまり、プロジェクター１１には、撮影部４０から出力される撮影画像データ３８Ａがリアルタイムで送信される。
【００３８】
ユーザーは、続いて、スクリーンＳＣ上に表示される画像データ３７の表示サイズを変更する操作を行う（ステップＳ７）。なお、表示サイズの変更は、任意の操作であり、ユーザーは、表示サイズを変更する必要がない場合には、このステップを省略することができる。ユーザーにより、スクリーンＳＣ上に表示される画像データ３７の表示サイズを変更する操作が行われると、制御部３０は、投射制御部３１の機能により、画像１３７の表示サイズの変更指示をプロジェクター１１に送信する（ステップＳ８）。ユーザーは、携帯端末２１のタッチパネル２２へ手指で接触して、接触した手指を動かくことで画像１３７を拡大／縮小し、表示サイズを変更することができる。なお、ユーザーにより表示サイズを変更する操作がなされた場合には、タッチパネル２２に表示されている画像データ３７の表示サイズは変更されず、スクリーンＳＣ上に表示されている画像データ３７の表示サイズが変更される。これにより、ユーザーは、タッチパネル２２に表示されている画像データ３７を視認しながら、スクリーンＳＣ上に表示される画像データ３７の表示サイズの変更を行うことができる。
【００３９】
制御部３０は、投射状態を確定する操作がユーザーにより行われたか否かを判定する（ステップＳ９）。詳細については後述するが、ユーザーは、投射状態を確定する操作を行うまでは（ステップＳ９：Ｎｏ）、画像データ３７の表示位置の調整、及び、表示サイズの変更を行うことができる。ユーザーは、携帯端末２１を操作して、投射状態を確定することができる。ユーザーは、携帯端末２１で画像データ３７を記憶部３５に記憶する操作と同様の操作、例えば、携帯端末２１の筐体側面に設けられたシャッターボタンを切る操作や、タッチパネル２２に表示されるシャッターボタンを手指で接触する操作、あるいは、タッチパネル２２へのタッチ操作により、投射状態を確定することができる。また、記憶部３５には、ユーザーによる投射状態を確定する操作により撮影された画像データ３７の投射位置を決定するための撮影画像データ３８が、画像データ３７に対応付けられて記憶される。
【００４０】
ユーザーにより、投射状態が確定されたことを検出すると（ステップＳ９：Ｙｅｓ）、制御部３０は、通信制御部３４により無線通信部３９を制御して、画像データ３７の投射状態を確定する指示をプロジェクター１１に送信する（ステップＳ１０）し、特定の画像データ３７について投射状態を確定するための動作を終了する。制御部３０は、投射状態確定指示を送信するとともに、ユーザーの投射状態を確定する操作によって記憶部３５に記憶された撮影画像データ３８または撮影画像データ３８に基づき生成されたデータを、プロジェクター１１に送信する。
【００４１】
続いてプロジェクター１１の動作について説明する。
プロジェクター１１の通信制御部６１は、無線通信部７５を介して携帯端末２１との間で通信を開始する。制御部６０は、端末接続制御部６２の機能により、無線通信部７５を介して携帯端末２１から入力される、携帯端末２１の個体を識別するための端末識別情報７６を取得し、プロジェクター１１と携帯端末２１との間の接続を確立する（ステップＳ１１）。続いて、制御部６０は、携帯端末２１から入力された端末識別情報７６を記憶部７０の識別情報記憶部７２に記憶する（ステップＳ１２）。
次に、制御部６０の通信制御部６１は、無線通信部７５を介して携帯端末２１から入力される画像データ３７を受信して、受信した画像データ３７を記憶部７０の識別情報記憶部７２に携帯端末２１の端末識別情報７６に対応付けて記憶する（ステップＳ１３）。また、制御部６０は、携帯端末２１から入力された画像データ３７を画像処理部６６で処理し、フレームメモリー６８に展開する。
【００４２】
次に、制御部６０は、無線通信部７５を介して携帯端末２１から入力される撮影画像データ３８Ａまたは撮影画像データ３８Ａに基づくデータを受信する（ステップＳ１４）。撮影画像データ３８Ａは、携帯端末２１の撮影部４０で得た撮影画像データ３８Ａがリアルタイムでプロジェクター１１に送信されたものである。つまり、撮影画像データ３８Ａは、現在ユーザーが携帯端末２１を向けている方向の画像である。制御部６０は、投射位置決定部６３の機能により、携帯端末２１から入力された撮影画像データ３８Ａまたは撮影画像データ３８Ａに基づくデータを解析して、画像データ３７をスクリーンＳＣに投射して表示する位置を決定する（ステップＳ１５）。制御部６０は、決定した画像１３７の表示位置を、画像データ３７と対応付けて、記憶部７０の識別情報記憶部７２に記憶する（ステップＳ１６）。
続いて、制御部６０は、投射制御部６４の機能により、投射位置決定部６３により決定した位置に、画像データ３７を投射してスクリーンＳＣ上に表示する（ステップＳ１７）。
【００４３】
なお、プロジェクター１１は、携帯端末２１からリアルタイムで入力される撮影画像データ３８Ａまたは撮影画像データ３８Ａに基づくデータにより表示位置を決定する。これにより、ユーザーが携帯端末２１を動かす操作をすることにより、スクリーンＳＣ上に投射される画像データ３７の表示位置を容易に変更することができる。図６に例示したように、ユーザーが携帯端末２１を上方向に動かす操作を行うと、携帯端末２１の動きに伴って、スクリーンＳＣに投射されている画像データ３７に基づく画像１３７の表示位置が移動する。なお、スクリーンＳＣに投射されている画像データ３７に基づく画像１３７は、ユーザーによる携帯端末２１への操作で投射状態が確定されるまで半透明な状態でスクリーンＳＣに表示されている構成でも良い。この構成によれば、ユーザーは、画像データ３７に基づく画像１３７の投射状態は、未だ確定されていな状態であり、移動及びリサイズが可能であることも容易に視認することができる。
【００４４】
上述したように、画像データ３７に基づく画像１３７の投射状態がステップＳ２１で確定される前、すなわち未確定の間は、ユーザーは、スクリーンＳＣに表示されている画像１３７の表示サイズを変更することができる。無線通信部７５を介して、携帯端末２１より表示サイズの変更を指示するデータを受信すると（ステップＳ１８）、制御部６０は、表示中の画像１３７の表示サイズを受信したデータに従って変更する（ステップＳ１９）。図７に例示したように、携帯端末２１のタッチパネル２２に２本の手指で接触し、この接触した２本の指の間隔を縮める操作（いわゆるピンチイン、ピンチクローズ操作）等の画面を縮小する操作を行うと、操作した間隔に基づいてスクリーンＳＣに半透明な状態で表示されている画像１３７の表示サイズが所定のサイズに縮小される。この時、画像１３７は、投射位置決定部６３により決定された画像中心Ｃの位置は固定された状態で、画像中心Ｃを中心に縮小される。なお、図示は省略するが、接触した２本の指の間隔を広げる操作（いわゆるピンチアウト、ピンチオープン操作）等、スクリーンＳＣに表示されている画像を拡大する操作を行う場合にも、同様に、投射位置決定部６３により決定された画像中心Ｃの位置は固定された状態で、画像中心Ｃを中心に画像１３７が拡大される。
【００４５】
制御部６０は、携帯端末２１から無線通信部７５を介して画像データ３７に基づく画像１３７の投射状態を確定する指示が送信されたか否かを判定する（ステップＳ２０）。そして、携帯端末２１から確定指示が未送信の間は（ステップＳ２０：Ｎｏ）、制御部６０は、画像１３７の表示位置の変更、及び、表示サイズの変更指示を携帯端末２１より受信して、支持に従って画像１３７の表示位置、及び、表示サイズの変更を行う。携帯端末２１から無線通信部７５を介して画像データ３７に基づく画像１３７の投射状態を確定する指示が送信されたことを検出すると（ステップＳ２０：Ｙｅｓ）、制御部６０は、確定指示を受信する直前に携帯端末２１から受信した画像１３７の表示位置、及び、表示サイズに基づいてスクリーンＳＣに表示している画像１３７の投射状態を固定して（ステップＳ２１）、動作を終了する。
【００４６】
なお、この図５では、１つの携帯端末２１から１つの画像データ３７をプロジェクター１１に送信して、スクリーンＳＣに投射して表示する際の表示システム１０の動作について説明した。しかし、上述したように、プロジェクター１１は、同時に複数の携帯端末２１と通信可能に構成されているため、図５に示したシーケンスを複数の携帯端末２１との間で同時に行うことができる構成であっても良い。また、プロジェクター１１には、各画像データ３７と撮影画像データ３８とが対応付けて送信されるため、プロジェクター１１あるいは携帯端末２１を操作して、重複して表示されている複数の画像１３７のいずれかを最前面に移動する等の操作を行うことができる構成であっても良い。このように、表示システム１０では、複数の携帯端末２１から送信される画像データ３７に基づく画像１３７を、簡単な操作でスクリーンＳＣの所望の位置に、所望のサイズで自由に並べて表示することができる。よって、複数のユーザーが個々の携帯端末２１に記憶している複数の画像データ３７を簡単に共有することができる。
【００４７】
以上説明したように、本発明を適用した実施形態に係るプロジェクター１１によれば、画像１３７を表示する投射部５と、携帯端末２１から送信される表示用の画像データ３７と、撮影画像データ３８，３８Ａまたは撮影画像データ３８，３８Ａに基づき生成されたデータとを受信する無線通信部７５と、無線通信部７５により受信した撮影画像データ３８，３８Ａまたは撮影画像データ３８，３８Ａに基づき生成されたデータに基づいて、画像１３７の表示位置を決定する投射位置決定部６３と、投射部５によって、投射位置決定部６３により決定された位置に表示用の画像データ３７に基づく画像１３７を表示させる投射制御部６４と、を備えた。これにより、携帯端末２１から撮影画像データ３８，３８Ａまたは撮影画像データ３８，３８Ａに基づき生成されたデータをプロジェクター１１に送信するという簡単な操作で、画像データ３７に基づく画像１３７を投射領域Ａ内の任意の位置の表示することができる。よって、ユーザーは、簡単な操作で意図した位置に画像１３７を表示することができ、プロジェクター１１の操作性を向上することができる。
【００４８】
また、プロジェクター１１の投射位置決定部６３は、無線通信部７５によって受信した撮影画像データ３８，３８Ａに基づいて、投射部５の表示可能領域において撮影画像データ３８，３８Ａに写っている範囲を特定し、この範囲内で画像１３７の表示位置を決定する。これにより、撮影画像データ３８，３８Ａに写っている範囲内で画像１３７の表示位置を決定するため、画像１３７を表示する位置を手動で入力する必要がなく、携帯端末２１での簡単な操作で意図した位置に画像１３７を表示することができる。
【００４９】
また、プロジェクター１１は、表示用の画像データ３７と、撮影画像データ３８，３８Ａまたは撮影画像データ３８，３８Ａに基づき生成されたデータとを送信した携帯端末２１を特定する識別情報と、携帯端末２１が送信した画像データ３７と、携帯端末２１が送信した撮影画像データ３８，３８Ａまたは撮影画像データ３８，３８Ａに基づき生成されたデータに基づいて投射位置決定部６３が決定した画像１３７の表示位置と、を対応づけて記憶する識別情報記憶部７２を備え、投射部５は、識別情報記憶部７２に記憶された表示用の画像データ３７に基づく画像１３７を、その表示用の画像データ３７に対応づけて識別情報記憶部７２に記憶された表示位置に表示させる。これにより、携帯端末２１と、画像データ３７と、画像データ３７に基づく画像１３７の表示位置と、を対応付けて記憶しているため、複数の携帯端末２１からプロジェクター１１に複数の画像データ３７を送信して、各画像データ３７の表示状態を各画像データ３７に対応付けられた携帯端末２１から変更することができる。よって、複数の携帯端末２１から、同時に複数の画像データ３７に基づく画像１３７をスクリーンＳＣに投射して表示することができ、且つ、各画像１３７を各画像１３７に対応づけられた携帯端末２１を操作して意図した位置に表示させることができる。
【００５０】
また、プロジェクター１１の投射部５は、異なる携帯端末２１から送信された複数の画像データ３７に基づく複数の画像１３７の表示位置が重複する場合に、これら複数の画像１３７を重ねて表示させる。これにより、複数の携帯端末２１の各々から送信される複数の画像データ３７に基づく画像１３７の表示位置が重複する場合でも、簡単な操作で意図した位置に複数の画像１３７を表示することができる。
【００５１】
また、プロジェクター１１の投射部５は、表示中の画像１３７の表示サイズの変更を指示するデータが携帯端末２１から送信された場合に、このデータに従って表示中の画像１３７の表示サイズを変更する。これにより、表示中の画像１３７の表示サイズを携帯端末２１での簡単な操作で変更することができる。よって、スクリーンＳＣに複数の画像１３７を各々が重ならないように自由に並べて表示することができる。
【００５２】
また、本発明を適用した実施形態に係る携帯端末２１によれば、画像を表示するタッチパネル２２と、画像データ３７を記憶する記憶部３５と、撮影部４０と、記憶部３５に記憶した少なくとも一つの画像データ３７と、撮影部４０により撮影された撮影画像データ３８，３８Ａまたは撮影画像データ３８，３８Ａに基づき生成されたデータをプロジェクター１１に送信する無線通信部３９と、無線通信部３９により送信した画像データ３７に基づく画像１３７をタッチパネル２２により表示させる表示制御部３２と、を備えた。これにより、携帯端末２１は、記憶部３５に記憶した画像データ３７に基づく画像１３７をタッチパネル２２に表示するとともに、プロジェクター１１に送信してスクリーンＳＣの意図した位置に表示させることができる。よって、ユーザーは、携帯端末２１に記憶されている画像データ３７をスクリーンＳＣに投射して、簡単に他の人と共用することができる。
【００５３】
また、携帯端末２１のタッチパネル２２が画像を表示する表示画面に対する操作を検出する入力検出部４１と、無線通信部３９によって送信した画像データ３７に基づく画像１３７がタッチパネル２２に表示された状態で、入力検出部４１により操作が検出された場合に、検出された操作に基づいて画像１３７の表示サイズの変更を指示するデータを生成してプロジェクター１１に送信する投射制御部３１と、を備える。これにより、携帯端末２１のタッチパネル２２に表示された画像１３７を視認したまま、簡単な操作でスクリーンＳＣに表示されている画像１３７の表示サイズを変更することができる。
【００５４】
なお、上述した実施形態は本発明を限定するものではなく、上記実施形態とは異なる態様として本発明を適用することも可能である。例えば、上記実施形態では、表示装置は、スクリーンＳＣに画像１３７を投射するプロジェクター１１である構成を例に挙げて説明したが、本発明はこれに限定されるものではなく、液晶表示パネルに画像を表示する液晶モニターまたは液晶テレビ、或いは、ＰＤＰ（プラズマディスプレイパネル）に画像を表示するモニター装置またはテレビ受像機、ＯＬＥＤ、ＯＥＬ等の有機ＥＬ表示パネルに画像を表示するモニター装置またはテレビ受像機等の自発光型の表示装置など、各種の表示装置も本発明の表示装置に含まれ、入力された画像信号に基づく画像をカラー表示することができる携帯型の表示装置も含まれる。この場合、液晶表示パネル、プラズマディスプレイパネル、有機ＥＬ表示パネルが変調手段に相当する。
また、上記実施形態においてソフトウェアで実現されている機能の一部をハードウェアで実現してもよく、あるいは、ハードウェアで実現されている機能の一部をソフトウェアで実現してもよい。その他、表示システム１０の具体的な細部構成について、本発明の趣旨を逸脱しない範囲で任意に変更可能である。
【符号の説明】
【００５５】
５…投射部（表示手段）、１０…表示システム、１１…プロジェクター（外部の装置）、２１…携帯端末（外部の装置）、２２…タッチパネル、３０…制御部、３１…投射制御部（サイズ変更制御手段）、３２…表示制御部、３３…撮影制御部、３４…通信制御部（出力手段）、３５…記憶部、３６…アプリケーションプログラム、３７…画像データ、３８…撮影画像データ、３８Ａ…撮影画像データ、３９…無線通信部、４０…撮影部（撮影手段）、４１…入力検出部、５１…照明光学系、５２…光変調装置、５３…投射光学系、６０…制御部、６１…通信制御部、６２…端末接続制御部、６３…投射位置決定部、６４…投射制御部（表示制御手段）、７０…記憶部、７２…識別情報記憶部、７３…入力検出部、７５…無線通信部（受信手段）、７６…端末識別情報、７７…表示位置情報、１３７…画像、Ａ…投射領域、ＳＣ…スクリーン。
【図１】
2014022961.tif 000003
【図２】
2014022961.tif 000004
【図３】
2014022961.tif 000005
【図４】
2014022961.tif 000006
【図５】
2014022961.tif 000007
【図６】
2014022961.tif 000008
【図７】
2014022961.tif 000009